(57)【要約】【課題】床梁間に根太を架設して薄い床面材を載架した床構面と、床梁間の根太を省いて厚い床面材を載架した床構面とが、ひとつの床梁を共有して隣接する場合に、両床面材の上面を面一に揃えることのできる床構造を提供する。【解決手段】本発明の床構造は、根太２を架設した床構面では、床梁１ａ、１ｂ及び根太２の上に厚さの小さい第一の床面材３ａを載架し、根太２を省いた床構面では、厚さの大きい第二の床面材３ｂを、その縁部の厚さが第一の床面材３ａと同じ厚さとなるように裏側に欠取部８を形成して床梁１ｂ、１ｃ上に載架することにより、第一の床面材３ａと第二の床面材３ｂとが互いの上面を面一に揃えて支持されるものである。【選択図】図１
2007023483.tif 000002
【特許請求の範囲】
【請求項１】
周囲を床梁によって囲まれた少なくとも２面以上の床構面が、ひとつの床梁を共有して隣接し、一方の床構面には、根太が床梁と上面を面一に揃えて床梁間に架設され、それら床梁及び根太の上に所定厚さを有する第一の床面材が載架されてなり、
他方の床構面には、根太が省かれて、上記第一の床面材よりも厚い第二の床面材が床梁上に載架される床構造において、
上記第二の床面材は、縁部の厚さが上記第一の床面材と同じ厚さとなるように、該縁部の裏側に欠取部が形成されて、この欠取部が形成された縁部が床梁上に載架されることにより、第一の床面材と第二の床面材とが互いの上面を面一に揃えて支持されることを特徴とする床構造。
【請求項２】
第二の床面材を支持する床梁の側面に、第二の床面材の裏面を支持する補助部材が添設されたことを特徴とする請求項１に記載の床構造。
【発明の詳細な説明】
【技術分野】
【０００１】
本発明は、床梁等によって囲まれた水平な床構面に床面材を架設して構成される床構造に関し、より詳細には、多層階建て建物の２階以上の床に適用される床構造に関する。
【背景技術】
【０００２】
木質系建物における従来の床構造としては、非特許文献１記載のような床構造が一般的である。この床構造は、図２に示すごとく、平行に配設された床梁１、１、…の上に、床梁と直交するようにして根太２、２、…が適宜間隔で架設され、これら根太の上に構造用合板等からなる床面材（床下地材）３が載架されるものである。
【０００３】
しかし、上記の床構造では、床面材３と床梁１とが構造的に一体化しないので、地震や台風による横揺れに対して床構面の剛性が不足しやすい。そこで、例えば特許文献１や特許文献２等には、図３、図４に示すごとく、根太２の上面と床梁１の上面とが面一に揃うように根太２、２、…を架設して、それら床梁１及び根太２の上面に床面材３を載架する床構造が提案されている。
【特許文献１】特開２００３−２６８８８６号公報
【特許文献２】特開２００５−３０００５号公報
【非特許文献１】尾上孝一著、「図解木造建築の技術」、第４０版、理工学社、２００１年１月２５日、ｐ．５
【発明の開示】
【発明が解決しようとする課題】
【０００４】
多層階建ての建物において、上層階の床組を下層階の天井側に露出させた、所謂あらわし仕様を採用する場合は、根太を省いて床梁だけで床面材を支持するほうが意匠的に美しく仕上がり、また、床梁の構造的な力強さも表現されて好ましい。しかし、根太を省くと、歩行時の垂直荷重による床面材の撓みや振動が大きくなるので、これを避けるには、床面材自体の厚みを増大させる必要がある。
【０００５】
ところが、床梁間に根太を架設して薄い床面材を載架した床構面と、床梁間の根太を省いて厚い床面材を載架した床構面とが、ひとつの床梁を共有して隣接すると、そこに生じる床面材の段差が、歩行の障害となったり、各種納まり上の不都合を招いたりする。特許文献１記載の床構造（図３）において、床梁１上に管柱４を立設するための柱脚金物５が、床面材３の段差によって好適に利用できなくなるというのも不都合の一例である。
【０００６】
本発明は上記のような事情に鑑みてなされたもので、床梁間に根太を架設して薄い床面材を載架した床構面と、床梁間の根太を省いて厚い床面材を載架した床構面とが、ひとつの床梁を共有して隣接する場合に、両床面材の上面を面一に揃えることのできる納まりのよい床構造を提供するものである。
【課題を解決するための手段】
【０００７】
上記した目的を達成するため、本発明の床構造は、周囲を床梁によって囲まれた少なくとも２面以上の床構面が、ひとつの床梁を共有して隣接し、一方の床構面には、根太が床梁と上面を面一に揃えて床梁間に架設され、それら床梁及び根太の上に所定厚さを有する第一の床面材が載架されてなり、他方の床構面には、根太が省かれて、上記第一の床面材よりも厚い第二の床面材が床梁上に載架される床構造において、上記第二の床面材は、縁部の厚さが上記第一の床面材と同じ厚さとなるように、該縁部の裏側に欠取部が形成されて、この欠取部が形成された縁部が床梁上に載架されることにより、第一の床面材と第二の床面材とが互いの上面を面一に揃えて支持されることを特徴とする。
【０００８】
さらに、本発明の床構造は、根太によって支持されない上記第二の床面材の補助的な支持手段として、第二の床面材を支持する床梁の側面に、第二の床面材の裏面を支持する補助部材が添設されたことを特徴とする。
【発明の効果】
【０００９】
上述のように構成される本発明の床構造によれば、根太が架設される床構面と、根太が架設されずに床梁のみで床面材を支持する床構面とが隣接する箇所において、厚さの異なる床面材を、その上面を面一に揃えて架設することができる。したがって、設計上その他の事情により、同一階層で床組の仕様が異なる場合でも、床梁や柱等からなる基本的な軸組構造に設計上の特別な配慮を加える必要がなくて済み、各種補助部材や内装材の納まりを共通化することができる。
【００１０】
また、本発明の床構造は、根太によって床面材を支持する構造を床組の基本とし、必要な部位のみ根太を省いて、あらわし仕様とする設計思想を実現するものである。したがって、あらわし仕様の箇所において下地部材や化粧部材を省くことによる部材コストの削減や、施工効率の向上にも大きく寄与する。
【発明を実施するための最良の形態】
【００１１】
以下、本発明の実施の形態について図を参照して説明する。
【００１２】
図１は本発明の実施形態に係る床構造の縦断面を示す。図示した床構造は、木造２階建て建物における２階の床組部分である。
【００１３】
図中右側の床構面を構成する床梁１ａと床梁１ｂとは、概ね900mm 〜2000mmの間隔で配設され、これらの間に複数本の根太２が、床梁１ａ、１ｂと直交する方向に、概ね300mm 〜500mm の間隔で架設されている。根太２は、その上面を床梁１ａ、１ｂの上面と面一に揃えるようにして、例えば既述の特許文献１に記載された梁受金物６（図３）等により床梁１ａ、１ｂの側面に接合されている。そして、床梁１ａ、１ｂ及び根太２の上面に、構造用合板等からなる第一の床面材３ａが載架され、床梁１ａ、１ｂ及び根太２に釘打ち固定される。このような設計仕様では、第一の床面材３ａとして使用される構造用合板の実用的な厚さが概ね28mm程度となる。なお、図中の符号７は、右側の床構面の下側に設けられて根太２を隠す１階の天井仕上げ面である。
【００１４】
他方、図中左側の床構面を構成する床梁１ｂと床梁１ｃとは、概ね900mm 〜1200mmの梁間隔で配設されており、これらの床梁１ｂ、１ｃ間には根太２が架設されずに、床構面の裏側が１階に対して露出される。床梁１ｂ、１ｃの上面には、構造用合板等からなる第二の床面材３ｂが載架され、床梁１ｂ、１ｃに釘打ち固定される。このような設計仕様では、第二の床面材３ｂとして使用される構造用合板の実用的な厚さが32mm〜38mm程度となる。
【００１５】
この床構造によれば、厚さが数mm以上異なる二種類の床面材３ａ、３ｂが床梁１ｂ上で隣接するので、その隣接部に段差が生じるのを防ぐため、第二の床面材３ｂの縁部の厚さが第一の床面材３ａと同じ厚さとなるよう、該縁部の裏側に欠取部８が形成されている。欠取部３の高さは、第二の床面材３ｂと第一の床面材３ａとの厚さの差に相当する。そして、この欠取部３が形成された縁部が床梁１ｂ、１ｃ上に載架されることにより、第二の床面材３ｂの上面と第一の床面材３ａの上面とが面一に揃えられることとなる。
【００１６】
このように、根太２を架設しない床構面においては厚い床面材３ｂを採用して、垂直荷重に対する十分な剛性を確保しつつ、その上面を、根太２上に支持される薄い床面材３ａに揃えることができる。こうして床面材３ａ、３ｂの上面が面一になれば、上層階の軸組、間仕切り壁、床仕上げ、建具等に関連する各種補助部材や内装材の納まりを単純化することができ、例えば既述の特許文献１に記載された柱脚金物５（図３）等も好適に実施可能となる。
【００１７】
なお、図中左側の床構面においては、第二の床面材３ｂに作用する垂直荷重が、第二の床面材３ｂの縁部に集中することになるが、この縁部だけで荷重を支持し得ない場合は、床梁１ｂ及び床梁１ｃの側面に、例えば細い角材等からなる補助部材９を添設し、その上面で第二の床面材３ｂの裏面を支持するように構成することも可能である。
【図面の簡単な説明】
【００１８】
【図１】本発明の実施形態に係る床構造の縦断面図である。
【図２】非特許文献１に記載された従来一般の床構造の斜視図である。
【図３】特許文献１に記載された従来の床構造の一部を示す斜視図である。
【図４】特許文献２に記載された従来の床構造の一部を示す斜視図である。
【符号の説明】
【００１９】
１ａ、１ｂ、１ｃ    床梁
２  根太
３ａ  第一の床面材
３ｂ  第二の床面材
８  欠取部
【図１】
2007023483.tif 000003
【図２】
2007023483.tif 000004
【図３】
2007023483.tif 000005
【図４】
2007023483.tif 000006